(57)【要約】【課題】システムの構成に変更が生じた場合でも、制御プログラムを変更することなく、システム変更に容易かつ安価に対応することができる情報処理システムを提供する。【解決手段】複数のサーバＢ１〜Ｂｎと、サーバＢ１〜Ｂｎに電力を供給する複数の無停電電源装置Ａ１〜Ａｎと、サーバＢ１〜Ｂｎおよび無停電電源装置Ａ１〜Ａｎの動作を制御する電源制御装置１とを備え、電源制御装置１は、サーバＢ１〜Ｂｎおよび無停電電源装置Ａ１〜Ａｎを停止させる停止処理内容が記載された停止スクリプトＨ１〜Ｈｑと、停止スクリプトＨ１〜Ｈｑの実行条件が記載された停止制御管理情報１６とを有し、電源制御装置１は、無停電電源装置Ａ１〜Ａｎのうちの何れかの異常状態を検出した場合に、異常状態が実行条件を満たした際に停止制御管理情報１６から停止スクリプトＨ１〜Ｈｑを選択して実行するものである。【選択図】図１
2007058396.tif 000002
【特許請求の範囲】
【請求項１】
複数の情報処理装置と、
前記複数の情報処理装置に電力を供給する複数の無停電電源装置と、
前記複数の情報処理装置および前記複数の無停電電源装置の動作を制御する電源制御装置と
を備え、
前記電源制御装置は、
前記複数の情報処理装置および前記複数の無停電電源装置を停止させる停止処理内容が記載された停止スクリプトと、
前記停止スクリプトの実行条件が記載された停止制御管理情報と
を有し、
前記電源制御装置は、前記複数の無停電電源装置のうちの何れかの異常状態を検出した場合に、前記異常状態が前記実行条件を満たした際に前記停止制御管理情報から前記停止スクリプトを選択して実行すること
を特徴とする情報処理システム。
【請求項２】
複数の情報処理装置と、
前記複数の情報処理装置に電力を供給する複数の無停電電源装置と、
前記複数の情報処理装置および前記複数の無停電電源装置の動作を制御する電源制御装置と
を備え、
前記電源制御装置は、
前記複数の情報処理装置および前記複数の無停電電源装置を起動させる起動処理内容が記載された起動スクリプトと、
前記起動スクリプトの実行条件が記載された起動制御管理情報と
を有し、
前記電源制御装置は、前記複数の無停電電源装置のうちの何れかを起動させる場合に、前記無停電電源装置の運転状態が前記実行条件を満たした際に前記起動制御管理情報から前記起動スクリプトを選択して実行すること
を特徴とする情報処理システム。
【請求項３】
複数の情報処理装置と、
前記複数の情報処理装置に電力を供給する複数の無停電電源装置と、
前記複数の情報処理装置および前記複数の無停電電源装置の動作を制御する電源制御装置と
を備え、
前記電源制御装置は、
前記複数の情報処理装置および前記複数の無停電電源装置を停止させる停止処理内容が記載された停止スクリプトと、
前記停止スクリプトを実行させる第１の実行条件が記載された停止制御管理情報と、
前記複数の情報処理装置および前記複数の無停電電源装置を起動させる起動処理内容が記載された起動スクリプトと、
前記起動スクリプトを実行させる第２の実行条件が記載された起動制御管理情報と
を有し、
前記電源制御装置は、前記複数の無停電電源装置のうちの何れかの異常状態を検出した場合に、前記異常状態が前記第１の実行条件を満たした際に前記停止制御管理情報から前記停止スクリプトを選択して実行し、前記無停電電源装置の運転状態が前記第２の実行条件を満たした際に前記起動制御管理情報から前記起動スクリプトを選択して実行すること
を特徴とする情報処理システム。
【請求項４】
前記複数の情報処理装置の各々は、電源が入力される複数の電源入力部を有し、前記複数の電源入力部には、それぞれ前記複数の無停電電源装置から電力が供給されることを特徴とする請求項１から請求項３までの何れか１項に記載の情報処理システム。
【請求項５】
前記無停電電源装置から前記情報処理装置に供給する電力を開閉する開閉装置をさらに備え、
前記停止スクリプトは、前記開閉装置を開路させる処理内容を有し、
前記電源制御装置は、前記停止スクリプトに基づいて前記開閉装置を開路させることを特徴とする請求項１または請求項３に記載の情報処理システム。
【請求項６】
前記無停電電源装置から前記情報処理装置に供給する電力を開閉する開閉装置をさらに備え、
前記起動スクリプトは、前記開閉装置を閉路させる処理内容を有し、
前記電源制御装置は、前記起動スクリプトに基づいて前記開閉装置を閉路させることを特徴とする請求項２または請求項３に記載の情報処理システム。
【発明の詳細な説明】
【技術分野】
【０００１】
この発明は、情報処理装置と無停電電源装置と電源制御装置とを備えた情報処理システムに関する。
【背景技術】
【０００２】
従来の無停電電源システムは、各々が１または複数のコンピュータからなる複数のコンピュータセットへ電力を供給する複数の無停電電源装置と、複数の無停電電源装置を監視制御する制御装置とからなる。複数の無停電電源装置の各々は、複数のコンピュータセットの各々に対応して設けられている。この複数の無停電電源装置の各々は、少なくとも当該対応するコンピュータセットの１または複数のコンピュータの各々へ電力を供給するとともに、自己の状態を示す状態情報を制御装置に送信する。制御装置は、複数の無停電電源装置の各々から状態情報を収集し、所定の無停電電源装置の出力を停止させている（例えば、特許文献１参照）。
【０００３】
【特許文献１】特開２００２−７３２２１号公報
【発明の開示】
【発明が解決しようとする課題】
【０００４】
従来の無停電電源システムでは、制御装置の制御処理部に記憶された制御プログラムに基づいて無停電電源装置の出力が停止されるため、コンピュータあるいは無停電電源装置の追加等によるシステムの変更が生じた場合に制御プログラムを変更する必要があり、制御プログラムの種類が増加して管理コストが大きくなるという問題点があった。
【０００５】
この発明は、上記のような問題点を解決することを課題とするものであって、その目的は、システムの構成に変更が生じた場合であっても、制御プログラムを変更することなく、システム変更に容易かつ安価に対応することができる情報処理システムを提供することである。
【課題を解決するための手段】
【０００６】
この発明に係る情報処理システムは、複数の情報処理装置と、複数の情報処理装置に電力を供給する複数の無停電電源装置と、複数の情報処理装置および複数の無停電電源装置の動作を制御する電源制御装置とを備え、電源制御装置は、複数の情報処理装置および複数の無停電電源装置を停止させる停止処理内容が記載された停止スクリプトと、停止スクリプトの実行条件が記載された停止制御管理情報とを有し、電源制御装置は、複数の無停電電源装置のうちの何れかの異常状態を検出した場合に、異常状態が実行条件を満たした際に停止制御管理情報から停止スクリプトを選択して実行するものである。
【発明の効果】
【０００７】
この発明の情報処理システムによれば、電源制御装置が、情報処理装置および無停電電源装置を停止させる停止処理内容が記載された停止スクリプトと、停止スクリプトの実行条件が記載された停止制御管理情報とを有しているので、情報処理装置および無停電電源装置の追加等によるシステム変更が生じた場合であっても、制御プログラムを変更することなく停止スクリプトおよび停止制御管理情報の記載内容を編集するだけでシステム変更に容易かつ安価に対応することができる。
【発明を実施するための最良の形態】
【０００８】
以下、この発明の各実施の形態について図に基づいて説明するが、各図において同一、または相当する部材、部位については、同一符号を付して説明する。
【０００９】
実施の形態１．
図１は、この発明の実施の形態１に係る情報処理システムを示すブロック図である。
図１において、この情報処理システムは、ｎ台の無停電電源装置Ａ１〜Ａｎと、ｎ台の情報処理装置であるサーバＢ１〜Ｂｎと、電源制御装置１とを主に備えている。
【００１０】
各無停電電源装置Ａ１〜Ａｎは、それぞれ商用電源２から給電されて、各無停電電源装置Ａ１〜Ａｎに対応するサーバＢ１〜Ｂｎにそれぞれ電力線Ｃ１〜Ｃｎを介して電力を供給する。
電源制御装置１は、商用電源２および無停電電源装置Ａ１〜Ａｎからそれぞれ電力線３および電力線Ｄ１〜Ｄｎを介して給電され、無停電電源装置Ａ１〜Ａｎにそれぞれ接続された信号線Ｅ１〜Ｅｎを介して無停電電源装置Ａ１〜Ａｎの運転状態を収集および管理するとともに、必要に応じてＬＡＮ等のネットワーク４を介して、サーバＢ１〜Ｂｎをシャットダウンするシャットダウン指令を送信する。
【００１１】
各サーバＢ１〜Ｂｎは、シャットダウン指令を受信した場合に、受信したサーバＢ１〜Ｂｎをシャットダウンする停止処理部Ｆ１〜Ｆｎを有している。
また、電力線Ｃ１〜Ｃｎには、トランジスタ等のハードウェアで構成されたドライブ回路５を用いて、無停電電源装置Ａ１〜ＡｎからサーバＢ１〜Ｂｎへの電力の供給を開閉するリレーを動作させる開閉装置６が設けられている。
【００１２】
電源制御装置１は、制御処理部７と、多重化電源８と、検出部９と、ＵＰＳインタフェース部１０と、ネットワークインタフェース部１１と、情報記憶部１２とを有している。
ここで、制御処理部７および検出部９は、ＣＰＵとプログラムを格納したメモリとを有するマイクロプロセッサ（図示せず）で構成されている。また、多重化電源８、ＵＰＳインタフェース部１０、およびネットワークインタフェース部１１は、ハードウェアで構成されている。
【００１３】
情報記憶部１２は、図示しない外部端末装置からネットワーク４を経由して、ＦＴＰ等の汎用ファイル転送プロトコルで転送された起動スクリプト群１３と、停止スクリプト群１４と、起動制御管理情報１５と、停止制御管理情報１６とを、テキストファイルで記憶している。
【００１４】
起動スクリプト群１３は、無停電電源装置Ａ１〜Ａｎの運転状態に応じて準備されたｐ個の起動スクリプトＧ１〜Ｇｐからなり、起動スクリプトＧ１〜Ｇｐには、任意のサーバＢ１〜Ｂｎの給電開始指令、処理待ち時間、および条件文（ＡＮＤ、ＯＲ、ＩＦ、・・・、ＴＨＥＮ）等の起動処理内容がテキスト形式で記述される。
ここで、運転状態とは、例えば無停電電源装置Ａ１が商用電源２から給電されているが、対応するサーバＢ１に給電していない状態である。また、この運転状態に対応した起動スクリプトＧ１〜Ｇｐとは、例えば無停電電源装置Ａ１に給電開始指令を送信して、サーバＢ１に対する給電を開始させる状態に対応した内容である。
【００１５】
また、停止スクリプト群１４は、無停電電源装置Ａ１〜Ａｎの異常状態に応じて準備されたｑ個の停止スクリプトＨ１〜Ｈｑからなり、停止スクリプトＨ１〜Ｈｑには、任意のサーバＢ１〜Ｂｎのシャットダウン指令、任意の無停電電源装置Ａ１〜Ａｎの給電停止指令、処理待ち時間、および条件文（ＡＮＤ、ＯＲ、ＩＦ、・・・、ＴＨＥＮ）等の停止処理内容がテキスト形式で記述されている。
ここで、異常状態とは、例えば無停電電源装置Ａ１が商用電源２から給電されていない状態である。また、この異常状態に対応した停止スクリプトＨ１〜Ｈｎとは、例えばサーバＢ１をシャットダウンして、シャットダウンを確認した後に無停電電源装置Ａ１に給電停止指令を送信して無停電電源装置Ａ１の給電を停止させる状態に対応した内容である。
【００１６】
起動制御管理情報１５には、無停電電源装置Ａ１〜Ａｎの運転状態に対応した起動スクリプトＧ１〜Ｇｐの実行条件がテキスト形式で記載されており、停止制御管理情報１６には、無停電電源装置Ａ１〜Ａｎの異常状態に対応した停止スクリプトＨ１〜Ｈｎの実行条件がテキスト形式で記載されている。
また、制御処理部７は、起動スクリプトＧ１〜Ｇｐおよび停止スクリプトＨ１〜Ｈｑを取り込んで実行するインタプリタ１７を含んでいる。
【００１７】
制御処理部７は、ＲＳ２３２Ｃ（Ｒｅｃｏｍｍｅｎｄｅｄ  Ｓｔａｎｄａｒｄ  ２３２  ｖｅｒｓｉｏｎＣ）または接点信号等のＵＰＳインタフェース部１０を介して無停電電源装置Ａ１〜Ａｎの動作状態を示す状態情報を収集および管理して、必要に応じてサーバＢ１〜Ｂｎのシャットダウン指令を出力する。多重化電源８は、複数の無停電電源装置Ａ１〜Ａｎおよび商用電源２から電力を受電する。検出部９は、多重化電源８に接続された無停電電源装置Ａ１〜Ａｎの各々について受電の有無を検出する。ＵＰＳインタフェース部１０は、無停電電源装置Ａ１〜Ａｎと互いに接続されて通信を行う。ネットワークインタフェース部１１は、ネットワーク４を介して複数のサーバＢ１〜Ｂｎと互いに接続されて通信を行う。
【００１８】
以下、図１に示したこの発明の実施の形態１による動作について説明する。
無停電電源装置Ａ１〜Ａｎの状態情報は、信号線Ｅ１〜ＥｎおよびＵＰＳインタフェース部１０を経由して電源制御装置１の制御処理部７に入力され、監視されている。
ここで、制御処理部７において、例えば商用電源２の停電が原因で無停電電源装置Ａｎの異常が検出された場合、制御処理部７は、停止制御管理情報１６を参照し、無停電電源装置Ａｎの異常状態が満たす停止スクリプトＨ１〜Ｈｎの実行条件に基づいて停止スクリプトＨｎを決定し、インタプリタ１７に引き渡す。
【００１９】
インタプリタ１７は、停止スクリプトＨｎを読み込んで、例えばサーバＢｎの停止処理部Ｆｎにシャットダウン指令を送信するとともに、サーバＢｎがシャットダウンしたことを確認して無停電電源装置Ａｎに給電停止指令を送信する。
【００２０】
続いて、商用電源２が復電し、無停電電源装置Ａｎが異常から復帰して検出部９で受電が検出されると、制御処理部７は、起動制御管理情報１５を参照し、無停電電源装置Ａｎの運転状態が満たす起動スクリプトＧ１〜Ｇｐの実行条件に基づいて起動スクリプトＧｎを決定し、インタプリタ１７に引き渡す。
インタプリタ１７は、起動スクリプトＧｎを読み込んで、例えば無停電電源装置Ａｎに給電開始指令を送信する。
【００２１】
この発明の実施の形態１に係る情報処理システムによれば、電源制御装置１が起動スクリプト群１３、停止スクリプト群１４、起動制御管理情報１５、および停止制御管理情報１６をテキスト形式で記述されたスクリプトとして記憶しているので、サーバあるいは無停電電源装置の増減によるシステム変更が生じた場合であっても、テキスト形式で記述されたスクリプトを編集すればよいので、システム変更に容易かつ安価に対応することができる。
【００２２】
また、従来手動で行う必要のあった情報処理システムの立ち上げを、起動制御管理情報１５および起動スクリプトＧ１〜Ｇｐに基づいて自動で行うことができるので、管理に要するコストを削減することができる。
【００２３】
なお、上記実施の形態１では、起動スクリプト群１３、停止スクリプト群１４、起動制御管理情報１５、および停止制御管理情報１６は、外部端末装置からネットワーク４経由で転送されるとしたが、ＣＤ−ＲＯＭ等で提供されてもよい。この場合も、上記実施の形態１と同様の効果を奏することができる。
【００２４】
また、上記実施の形態１では、制御処理部７は、サーバＢｎのシャットダウン後に無停電電源装置Ａｎに給電停止指令を送信し、商用電源２の復電後に無停電電源装置Ａｎに給電開始指令を送信するとしたが、勿論これに限定されるものではない。例えば、停止スクリプトＨｎおよび起動スクリプトＧｎは、それぞれドライブ回路５を開路および閉路させる状態に対応した内容を有しており、制御処理部７は、その停止スクリプトＨｎおよび起動スクリプトＧｎに基づいて開閉装置６を開路あるいは閉路させて、サーバＢｎに供給される電力を制御してもよい。この場合、外部インタフェースの異なるシステムであっても、適用することができる。
【００２５】
実施の形態２．
図２は、この発明の実施の形態２に係る情報処理システムを示すブロック図である。
図２において、無停電電源装置Ａ１には、サーバＢ１が接続されており、無停電電源装置Ａ２には、情報処理装置であるディスク装置１８が接続されている。また、サーバＢ１とディスク装置１８とは、互いに専用線１９で接続されている。
その他の構成については、実施の形態１と同様であり、その説明は省略する。
【００２６】
以下、図３〜図６を参照しながら、この発明の実施の形態２による動作について説明する。
図３は、停止スクリプトＨ１〜Ｈｎの実行条件および選択される停止スクリプトＨ１〜Ｈｎが記載された停止制御管理情報１６を示す説明図、図４は、停止スクリプトＨ１〜Ｈｎの停止処理を示すフローチャート、図５は、起動スクリプトＧ１〜Ｇｐの実行条件および選択される起動スクリプトＧ１〜Ｇｐが記載された起動制御管理情報１５を示す説明図、図６は、起動スクリプトＧ１〜Ｇｐの起動処理を示すフローチャートである。
【００２７】
まず、停止スクリプトＨ１〜Ｈｎ（図３、図４参照）について説明する。
図３において、無停電電源装置Ａ１、Ａ２がともに正常に運転している場合には、該当する停止スクリプトは存在せず、停止処理は行われない。
無停電電源装置Ａ１、Ａ２の何れかあるいは双方に異常が発生した場合、異常状態による実行条件に基づいて、停止スクリプトＨ１が選択される。以下、停止スクリプトＨ１の動作について、図４のフローチャートを用いて説明する。
【００２８】
図４において、まず、サーバＢ１にシャットダウン指令を送信（ステップＳ３１）した後、任意の所定時間待機する（ステップＳ３２）。
次に、ディスク装置１８にシャットダウン指令を送信（ステップＳ３３）した後、任意の所定時間待機する（ステップＳ３４）。
続いて、無停電電源装置Ａ１に給電停止指令を送信（ステップＳ３５）した後、無停電電源装置Ａ２に給電停止指令を送信して（ステップＳ３６）、図４の処理を終了する。
【００２９】
次に、起動スクリプトＧ１〜Ｇｐ（図５、図６参照）について説明する。
図５において、無停電電源装置Ａ１、Ａ２の何れかあるいは双方が異常である場合には、該当する起動スクリプトは存在せず、起動処理は行われない。
双方の無停電電源装置Ａ１、Ａ２の双方の異常が回復した場合、動作状態による実行条件に基づいて、起動スクリプトＧ１が選択される。以下、起動スクリプトＧ１の動作について、図６のフローチャートを用いて説明する。
【００３０】
図６において、まず、無停電電源装置Ａ２に給電開始指令を送信（ステップＳ４１）した後、任意の所定時間待機する（ステップＳ４２）。
続いて、無停電電源装置Ａ１に給電開始指令を送信して（ステップＳ４３）、図６の処理を終了する。
【００３１】
この発明の実施の形態２に係る情報処理システムによれば、実施の形態１と同様の効果を奏することができる。
【００３２】
実施の形態３．
図７は、この発明の実施の形態３に係る情報処理システムの無停電電源装置Ａ１、Ａ２とサーバＢ１、Ｂ２とを抜粋して示すブロック図である。
図７において、サーバＢ１、Ｂ２は、それぞれ複数の電源入力部（図示せず）を有しており、２台の無停電電源装置Ａ１、Ａ２は、それぞれ２台のサーバＢ１、Ｂ２に電力を供給している。
その他の構成については、実施の形態１と同様であり、その説明は省略する。
【００３３】
以下、図８〜図１３を参照しながら、この発明の実施の形態３による動作について説明する。
図８は、停止スクリプトＨ１〜Ｈｎの実行条件および選択される停止スクリプトＨ１〜Ｈｎが記載された停止制御管理情報１６を示す説明図、図９は、停止スクリプトＨ１〜Ｈｎの停止処理を示すフローチャート、図１０は、起動スクリプトＧ１〜Ｇｐの実行条件および選択される起動スクリプトＧ１〜Ｇｐが記載された起動制御管理情報１５を示す説明図、図１１〜図１３は、起動スクリプトＧ１〜Ｇｐの起動処理を示すフローチャートである。
【００３４】
まず、停止スクリプトＨ１〜Ｈｎ（図８、図９参照）について説明する。
図８において、無停電電源装置Ａ１、Ａ２がともに正常運転している場合、および無停電電源装置Ａ１、Ａ２の何れかが正常に運転している場合には、該当する停止スクリプトは存在せず、停止処理は行われない。
無停電電源装置Ａ１、Ａ２の双方に異常が発生した場合、異常状態による実行条件に基づいて、停止スクリプトＨ２が選択される。以下、停止スクリプトＨ２の動作について、図９のフローチャートを用いて説明する。
【００３５】
図９において、まず、サーバＢ１にシャットダウン指令を送信（ステップＳ５１）する。
次に、サーバＢ２にシャットダウン指令を送信（ステップＳ５２）した後、任意の所定時間待機する（ステップＳ５３）。
続いて、無停電電源装置Ａ１に給電停止指令を送信（ステップＳ５４）した後、無停電電源装置Ａ２に給電停止指令を送信して（ステップＳ５５）、図９の処理を終了する。
【００３６】
次に、起動スクリプトＧ１〜Ｇｐ（図１０〜図１３参照）について説明する。
図１０において、無停電電源装置Ａ１、Ａ２の双方が異常である場合には、該当する起動スクリプトは存在せず、起動処理は行われない。
双方の無停電電源装置Ａ１、Ａ２の双方の異常が回復した場合、動作状態による実行条件に基づいて、起動スクリプトＧ２が選択される。以下、起動スクリプトＧ２の動作について、図１１のフローチャートを用いて説明する。
【００３７】
図１１において、まず、無停電電源装置Ａ１に給電開始指令を送信する（ステップＳ６１）。
続いて、無停電電源装置Ａ２に給電開始指令を送信して（ステップＳ６２）、図１１の処理を終了する。
【００３８】
また、無停電電源装置Ａ２の異常が回復した場合、動作状態による実行条件に基づいて、起動スクリプトＧ３が選択される。以下、起動スクリプトＧ３の動作について、図１２のフローチャートを用いて説明する。
図１２において、無停電電源装置Ａ２に給電開始指令を送信して（ステップＳ７１）、図１２の処理を終了する。
【００３９】
また、無停電電源装置Ａ１の異常が回復した場合、動作状態による実行条件に基づいて、起動スクリプトＧ４が選択される。以下、起動スクリプトＧ４の動作について、図１３のフローチャートを用いて説明する。
図１３において、無停電電源装置Ａ１に給電開始指令を送信して（ステップＳ８１）、図１３の処理を終了する。
【００４０】
この発明の実施の形態３に係る情報処理システムによれば、サーバＢ１、Ｂ２が複数の電源入力部を有し、複数の無停電電源装置Ａ１、Ａ２から給電されるので、異常が発生した無停電電源装置Ａ１、Ａ２に対応するサーバＢ１、Ｂ２をシャットダウンすることなく、他の無停電電源装置Ａ１、Ａ２から給電することができ、システム自体の信頼性を向上させることができる。
【００４１】
なお、上記実施の形態１〜３では、情報処理装置としてサーバＢ１、Ｂ２およびディスク装置１８を用いて説明したが、勿論これに限定されるものではなく、他の装置であってもよい。この場合も上記実施の形態１〜３と同様の効果を奏することができる。
【００４２】
また、上記実施の形態１〜３では、起動スクリプトＧ１〜Ｇｐを用いた起動処理について、無停電電源装置の異常が回復した場合の再起動処理として説明したが、勿論これに限定されるものではなく、この情報処理システムを最初に起動する場合にもこの起動スクリプトＧ１〜Ｇｐを用いた起動処理を実行することができる。
【図面の簡単な説明】
【００４３】
【図１】この発明の実施の形態１に係る情報処理システムを示すブロック図である。
【図２】この発明の実施の形態２に係る情報処理システムを示すブロック図である。
【図３】図２の情報処理システムの停止スクリプトの実行条件および選択される停止スクリプトが記載された停止制御管理情報を示す説明図である。
【図４】図２の情報処理システムの停止スクリプトの停止処理を示すフローチャートである。
【図５】図２の情報処理システムの起動スクリプトの実行条件および選択される起動スクリプトが記載された起動制御管理情報を示す説明図である。
【図６】図２の情報処理システムの起動スクリプトの起動処理を示すフローチャートである。
【図７】この発明の実施の形態３に係る情報処理システムの無停電電源装置とサーバとを抜粋して示すブロック図である。
【図８】図７の情報処理システムの停止スクリプトの実行条件および選択される停止スクリプトが記載された停止制御管理情報を示す説明図である。
【図９】図７の情報処理システムの停止スクリプトの停止処理を示すフローチャートである。
【図１０】図７の情報処理システムの起動スクリプトの実行条件および選択される起動スクリプトが記載された起動制御管理情報を示す説明図である。
【図１１】図７の情報処理システムの起動スクリプトの停止処理を示すフローチャートである。
【図１２】図７の情報処理システムの起動スクリプトの別の停止処理を示すフローチャートである。
【図１３】図７の情報処理システムの起動スクリプトのさらに別の停止処理を示すフローチャートである。
【符号の説明】
【００４４】
１  電源制御装置、６  開閉装置、１３  起動スクリプト群、１４  停止スクリプト群、１５  起動制御管理情報、１６  停止制御管理情報、Ａ１〜Ａｎ  無停電電源装置、Ｂ１〜Ｂｎ  サーバ、Ｇ１〜Ｇｎ  起動スクリプト、Ｈ１〜Ｈｎ  停止スクリプト。
【図１】
2007058396.tif 000003
【図２】
2007058396.tif 000004
【図３】
2007058396.tif 000005
【図４】
2007058396.tif 000006
【図５】
2007058396.tif 000007
【図６】
2007058396.tif 000008
【図７】
2007058396.tif 000009
【図８】
2007058396.tif 000010
【図９】
2007058396.tif 000011
【図１０】
2007058396.tif 000012
【図１１】
2007058396.tif 000013
【図１２】
2007058396.tif 000014
【図１３】
2007058396.tif 000015